(57)【特許請求の範囲】
【請求項１】
車室内の側方上部位置にて前後方向に伸長した状態でインフレータ及び収縮状態のバッグが設置されるカーテンエアバッグの取り付け構造において、
前記インフレータを保持した状態で車室の側部近傍の天井部に固定された取付け具と、
該取付け具の固定部に一端が取り付けられ、他端が前記バッグに取り付けられた柔軟性のあるバッグ保持部材と、を有し、
前記固定部は、前記インフレータが保持される位置よりも車両幅方向の中央寄りに設けられ、
前記バッグ保持部材は、前記一端が取り付けられた前記固定部から前記バッグに取り付けられた他端まで前記取付け具に保持された状態の前記インフレータの車両側壁側を引き回されて設置されており、前記バッグが前記インフレータよりも車両側壁側の位置で保持される長さに設定されていることを特徴とするカーテンエアバッグの取り付け構造。
【発明の詳細な説明】
【技術分野】
【０００１】
本発明は、カーテンエアバッグの取り付け構造、特に、車室内の側方上部位置にて前後方向に伸長した状態でインフレータ及び収縮状態のバッグが設置されるカーテンエアバッグの取り付け構造に関する。
【背景技術】
【０００２】
カーテンエアバッグは、側面衝突時に車室内の乗員の頭部等を保護するために、車室内の側方上部位置にて前後方向に延在するルーフサイドレールに沿ってフロントピラーからリアピラーに渡って配置されている。この様なカーテンエアバッグは、折り畳まれた状態のバッグを瞬時に展開させるために、高圧ガスを噴射するインフレータを備えている。バッグを前後方向で時間差を生じさせることなく瞬時に展開させるために、例えばインフレータは、ルーフサイドレールのセンターピラー付近に設けられる。
【０００３】
このようなセンターピラー付近における取り付け構造としては、例えば、特許文献１には、カーテンエアバッグの取り付け構造が示されている。この構造においてインフレータ１２は、ルーフサイドレール１０６のセンターピラー付近にボルトで固定されたインフレータブラケットによって保持されており、バッグ１０は、上端に筒状のインフレータ１２の外側面を包み込む状態とする結合部を有しており（当該特許文献１の図３等）、この結合部によってインフレータ１２を包み込んだ状態で設置されている。
【０００４】
図４は、上述の特許文献１に記載されているカーテンエアバッグの取付け構造と同様の方法で取り付けた構造の例を簡略的に示している。バッグ１０は、ルーフサイドレール１０６側で巻回されて折り畳まれた状態でインフレータ１２の下方で保持されている。折り畳まれた状態のバッグ１０は、図示のようにインフレータ１２と共に粘着テープ４０で巻き付けられてまとめられており、ルーフサイドレール１０６に沿った位置で保持されている。上記インフレータブラケットの固定部（図示せず）は、インフレータ１２とバッグ１０の設置された部分の奥側のルーフサイドレール１０６の壁面に設けられている。
【０００５】
この様に、インフレータ１２とバッグ１０を粘着テープ４０で巻き付けることで両者がコンパクトにまとめられて取り付けられた構成となっている。
【０００６】
また、特許文献２には、他の構造を有するカーテンエアバッグの取り付け構造が示されている。図５は、特許文献２に記載されているカーテンエアバッグの取り付け構造と同様の方法で取り付けた構造を簡略的に示している。なお、図５において図４に示した要素と同様の要素については同一の符号を付し、その詳細な説明は省略する。図示のように、インフレータ１２を保持するインフレータブラケット５０は、その一方の端部に形成された貫通孔にクリップ５４を挿通させ、同じくルーフサイドレール１０６に形成された貫通孔にさらにこのクリップ５４を挿通させることで固定されている。
【０００７】
次にバッグ１０の取り付けはバッグ保持部材の一端側に形成された貫通孔に上述したクリップ５４を挿通させてインフレータ１２と同様にルーフサイドレール１０６に固定取り付けされている。このように、インフレータ１２とバッグ１０は、間隔を空けた状態でルーフサイドレール１０６の近傍にしっかりと固定されている。なお、図４及び図５において符号１０８はバッグ１０及びインフレータ１２の設置部分を全体的に覆うルーフトリムである。
【先行技術文献】
【特許文献】
【０００８】
【特許文献１】特開２０１１−７３５２３号公報
【特許文献２】特開２００７−１３１１７２号公報
【発明の概要】
【発明が解決しようとする課題】
【０００９】
しかしながら、特許文献１の技術におけるインフレータブラケットは、上述のようにインフレータとエアバッグの奥側のルーフサイドレールに固定されているので、このインフレータブラケットに保持されているインフレータは天井面との間に未だ余剰空間をおいて配置となっている。したがって、その余剰空間の分だけ車内空間を狭める結果になっている。
【００１０】
また、インフレータとエアバッグの奥側のルーフサイドレールにインフレータブラケットの固定部が配置されているので、インフレータブラケットをルーフサイドレールに固定する際には、エアバッグとインフレータとの隙間を拡げて、固定用器具を差し入れて用いる必要があり、その作業の際にエアバッグを傷つけないように注意をする必要があった。
【００１１】
さらに、インフレータとエアバッグを結合している粘着テープが経年劣化等によってその粘着力が低下したときにはエアバッグがルーフサイドレールに沿った位置で保持されている状態を維持することができなくなる。特に、エアバッグの布にはコーティングが施してある場合があり、その様な場合に粘着テープの機能が発揮され難い場合もある。したがって、エアバッグがインフレータの下方で垂れ下がり、車室の側壁から離れる状況が生じ、エアバッグの展開方向を適正に維持し難いという問題があった。
【００１２】
また、特許文献２の技術では、インフレータブラケットの固定部が、保持されているインフレータとエアバッグの間に設けられているため、ルーフサイドパネル上には上記固定部を設けるための空間が必要となる。したがって、カーテンエアバッグ全体としてルーフサイドパネルの近傍に広い空間を要する構造となっている。
【００１３】
本発明は、上記課題に鑑みてなされたものであり、その目的は、車室内空間を必要以上に狭めることがなく、エアバッグの適正な展開方向を安定して維持することができる簡単な構成のカーテンエアバッグの取り付け構造を提供することにある。
【課題を解決するための手段】
【００１４】
上記目的を解決するため請求項１に係る発明は、車室内の側方上部位置にて前後方向に伸長した状態でインフレータ及び収縮状態のバッグが設置されるカーテンエアバッグの取り付け構造において、前記インフレータを保持した状態で車室の側部近傍の天井部に固定された取付け具と、該取付け具の固定部に一端が取り付けられ、他端が前記バッグに取り付けられた柔軟性のあるバッグ保持部材と、を有し、前記固定部は、前記インフレータが保持される位置よりも車両幅方向の中央寄りに設けられ、前記バッグ保持部材は、前記一端が取り付けられた前記固定部から前記バッグに取り付けられた他端まで前記取付け具に保持された状態の前記インフレータの車両側壁側を引き回されて設置されており、前記バッグが前記インフレータよりも車両側壁側の位置で保持される長さに設定されていることを特徴とする。
【００１５】
この構成によれば、インフレータを保持する取付け具が天井部に固定されているため、まず、インフレータを天井部の近傍に位置させることができる。その状態でバッグ保持部材によってバッグをインフレータの近傍に位置させることができる。特に、バッグ保持部材は、一端が取り付けられた固定部からバッグに取り付けられた他端までインフレータの車両側壁側を引き回されて設置されているのでバッグ保持部材の長さを適正に設定することでバッグをインフレータよりも車両側壁側に引き寄せて位置させることができる。
【００１６】
さらに、インフレータ及びエアバッグが天井部近傍に設置されることから、それら構成部材と天井部との間に余剰空間を生じさせないので設置スペースの縮小化が達成される。
【００１８】
この様に、バッグ保持部材を適正な長さに設定することで、バッグは車両側壁側からインフレータと接触してインフレータに一部支えられた状態でバッグ保持部材によって保持されている。したがって、上記固定部よりも車両の側壁側の位置で安定して維持され、したがって、バッグを車両の側壁に沿った適切な方向で展開させることができ、バッグの機能をより的確に発揮させることができる。
【発明の効果】
【００１９】
本発明によれば、バッグの適正な展開方向を安定して維持することができ、設置されたインフレータ及びバッグと天井部との間に余剰空間を生じさせないので設置スペースの縮小化も達成することができる。
【図面の簡単な説明】
【００２０】
【図１】本発明の実施の形態に係るカーテンエアバッグの取り付け構造を説明するための概略斜視図である。
【図２】図１におけるＩＩ−ＩＩ線断面を模式的に示した本発明の実施の形態に係るカーテンエアバッグの取り付け構造の説明図である。
【図３】バッグ保持部材の端部を取付け具の固定部に取り付ける方法の説明図である。
【図４】特許文献１に記載のカーテンエアバッグの取り付け構造を説明するための概略断面図である。
【図５】特許文献２に記載のカーテンエアバッグの取り付け構造を説明するための概略断面図である。
【発明を実施するための形態】
【００２１】
以下、本発明に係るカーテンエアバッグの取り付け構造の実施の形態について、図面を参照しつつ詳細に説明する。
【００２２】
図１は、本発明の実施の形態に係るカーテンエアバッグの取り付け構造を示している。図示のように、円筒状のインフレータ１２及び巻回状態で折り畳まれた状態の同じく円筒状のバッグ１０は、車室内のセンターピラー１００の近傍で、かつ、車室の側方上部に位置する天井部１０４及びルーフサイドレール１０６の近傍に、車室の前後方向に伸長した状態で設置されている。このバッグ１０及びインフレータ１２の取付けは、後述するように、天井部１０４に固定されたブラケット１０２及びこれに取り付けた取付け具１４によって行われている。なお、バッグ１０は、図示していないフロントピラー近傍から同じく図示していないリアピラー近傍まで伸長している。
【００２３】
図２は、図１のＩＩ−ＩＩ線断面を模式的に示している。図示のように、本発明の特徴的なことは、バッグ１０及びインフレータ１２の固定が、車室の側方に配置されているルーフサイドパネル１０６ではなく、その近傍の天井部１０４側の構造体に対して行われていることである。すなわち、天井部１０４の所定位置で、ルーフサイドパネル１０６近傍に設けられたブラケット１０２を用いて固定を行っており、取付け具１４をこのブラケット１０２に固定している。
【００２４】
また、後述するように、バッグ１０は、この取付け具１４を用いて、バッグ保持部材１６によって保持される。なお、これらバッグ１０及びインフレータ１２の取り付けられた部分はルーフトリム１０８で全体が覆われている。
【００２５】
図３は、取付け具１４及びバッグ保持部材１６の設置構造を説明するための分解斜視図である。図示のように、取付け具１４は、金属製の板状部材にて形成されており、その上部の平らな部分が固定部１４ａであり、略中央部には貫通孔１５が形成されている。固定部１４ａの両側縁部からはそれぞれ帯状の腕部１４ｂ及び１４ｃが延びている。この腕部１４ｂ及び１４ｃは、それぞれ湾曲して延在し、その裏面側でインフレータ１２を保持する構成となっている。なお、固定部１４ａにはその両縁部寄りの位置に小孔２１−１，２１−２が形成されており、この部分でボルト２２，２３によって上述のように天井部１０４に固定されているブラケット１０２に取り付けられる。
【００２６】
本実施の形態では、腕部１４ｂ及び１４ｃの裏面側にバンド部材１７（図上一方側のみ示されている）が取り付けられており、このバンド部材１７にインフレータ１２が巻かれて保持されるものである。
【００２７】
バッグ１０を取り付けるためのバッグ保持部材１６は、例えば、加撓性の有る柔らかい部材、本実施の形態では布製部材で形成されており、ベルト状の形状を有している。バッグ保持部材１６の一方の端部１６ａには、孔部１９が設けられている。この孔部１９は、後述するようにバッグ保持部材１６の端部１６ａを取付け具１４に固定するための孔であり、クリップ２０が挿通されるものである。そして、バッグ保持部材１６の他方の端部１６ｂは、バッグ１０（図上破線で示されている）に固着されている。
【００２８】
この構成要素によって、上記図２に示したように、インフレータ１２及びバッグ１０が天井部１０４（ブラケット１０２）に取り付けられる。重要なことは、インフレータ１２とバッグ１０の取付位置であり、取付け具１４の腕部１４ｂ，１４ｃは車両の側壁方向に延びているので、図示のように、インフレータ１２とバッグ１０は、取付け具１４の固定部１４ａでのブラケット１０２への固定位置よりも車両の側壁側に配置される。
【００２９】
すなわち、まず、インフレータ１２は、取付け具１４の腕部１４ｂ，１４ｃの裏面のバンド部材１７に巻かれた状態で、取付け具１４の固定部１４ａよりも車両側壁寄りに位置する。そして、バッグ１０は、バッグ保持部材１６の他方の端部１６ｂに固着された状態でぶら下げ支持されている。すなわち、バッグ保持部材１６は、一方の端部１６ａがその孔部１９にクリップ２０が挿通されて取付け具１４の貫通孔１５の部分で取付け具１４に固定される。
【００３０】
このベルト状のバッグ保持部材１６は、固定部１４ａに固定された一方の端部１６ａを基点として、取付け具１４に保持された状態のインフレータ１２のルーフサイドパネル１０６側、すなわち、車両側壁側を引き回されて設置されている。
【００３１】
そして、バッグ保持部材１６の長さは、一方の端部１６ａが貫通孔１５にて固定された状態で、バッグ１０をぶら下げ支持し、その状態でバッグ１０がインフレータよりもさらにルーフサイドパネル１０６に近い位置に保持できる長さに設定されている。
【００３２】
上記バッグ１０とインフレータ１２の設置構成によれば、バッグ１０は車両の側壁に近い位置に常に的確に維持されることからエアバッグ作動時における膨張する方向を常に良好に保持することができる。また、取付け具１４が車両の天井部１０４の構造体に固定されているので、より高い位置でインフレータ１２及びバッグ１０を保持しておくことが可能となっており、インフレータ１２とバッグ１０の設置のために必要なスペースをより上方の狭い空間に限定できることからより広い車両空間の確保も達成されている。
【００３３】
以上実施の形態について種々説明したが、本発明は上記実施の形態に係る構成に限定されるものではなく、発明の要旨の範囲内で種々の変形が可能である。例えば、天井部１０４側に取り付けられる取付け具１４の取り付け構造や形状は上記構成に限定されるものではなく、天井部１０４に一方側が固定可能であり、他方側にその固定位置よりもより車両側壁側位置でインフレータ１２を保持可能な構成を有していれば足り、その形状は種々のものを選択することが可能である。
【００３４】
また、バッグ保持部材１６はベルト状のものを用いたが、これに限定されるものではなく、可撓性を有し、バッグ１０をぶら下げ保持可能な構成を有するものであれば、ひも状のものなど種々の形状のものを用いることが可能である。
【符号の説明】
【００３５】
１０  バッグ
１２  インフレータ
１４  取付け具
１４ａ  固定部
１４ｂ、１４ｃ  腕部
１５  貫通孔
１６  バッグ保持部材
１６ａ，１６ｂ  端部
１７  バンド部材
１９  孔部
２０  クリップ
２１−１、２１−２  小孔
２２、２３  ボルト
【図１】
0006507011.tif 000002
【図２】
0006507011.tif 000003
【図３】
0006507011.tif 000004
【図４】
0006507011.tif 000005
【図５】
0006507011.tif 000006